(57)【特許請求の範囲】
【請求項１】
映像の表示に用いられる第１ディスプレイと、
表示に用いられ、前記第１ディスプレイに比べて消費電力が少ない第２ディスプレイと、
指示されたアプリケーションを起動するアプリケーション起動部と、
前記起動されたアプリケーションに含まれる、このアプリケーションの表示を行うディスプレイを指定するディスプレイ指定情報を取得し、このディスプレイ指定情報に基づいて、前記起動されたアプリケーションを前記第１ディスプレイまたは前記第２ディスプレイのいずれかに出力する出力部を備える電子機器。
【請求項２】
前記第２ディスプレイは反射光を利用して表示を行う請求項１に記載の電子機器。
【請求項３】
前記第２ディスプレイは電子ペーパーが用いられる請求項１に記載の電子機器。
【請求項４】
前記第１ディスプレイと前記第２ディスプレイは積層される請求項１に記載の電子機器。
【請求項５】
前記第１ディスプレイと前記第２ディスプレイは並べて配置される請求項１に記載の電子機器。
【請求項６】
前記第２ディスプレイに表示を行う場合は、スクロール機能に代え、画面を再描画する方法で表示を行う請求項１に記載の電子機器。
【請求項７】
前記アプリケーションの切り替えが行なわれた場合は、前記切り替えられたアプリケーションに含まれるディスプレイ指定情報に基づいて、前記切り替えられたアプリケーションを前記第１ディスプレイまたは前記第２ディスプレイのいずれかに出力する請求項１に記載の電子機器。
【請求項８】
指示されたアプリケーションを起動するステップと、
前記起動されたアプリケーションに含まれる、このアプリケーションの表示を行うディスプレイを指定するディスプレイ指定情報を取得するステップと、
このディスプレイ指定情報に基づいて、前記起動されたアプリケーションを、映像の表示に用いられる第１ディスプレイまたは、前記第１ディスプレイに比べて消費電力が少ない第２ディスプレイのいずれかに出力するステップを備える電子機器の制御方法。
【請求項９】
指示されたアプリケーションを起動するステップと、
前記起動されたアプリケーションに含まれる、表示を行うディスプレイを指定するディスプレイ指定情報を取得するステップと、
このディスプレイ指定情報に基づいて、前記起動されたアプリケーションを、映像の表示に用いられる第１ディスプレイまたは、前記第１ディスプレイに比べて消費電力が少ない第２ディスプレイのいずれかに出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、動画や静止画といった映像や電子書籍のテキストというように、様々なコンテンツを映像表示装置に出力表示し、ユーザに提供可能な電子機器が普及しつつある。
【０００３】
そして、近年、これらの電子機器の消費電力を低減することが望まれている。
【０００４】
また、一般に、上記映像の表示には、映像に対応した映像表示用表示装置（例えば、ＬＣＤ（Ｌｉｑｕｉｄ  Ｃｒｙｓｔａｌ  Ｄｉｓｐｌａｙ、液晶 <http://e-words.jp/p/t-LCD.html>ディスプレイ <http://e-words.jp/p/t-Display.html>））等が用いられる。
【０００５】
また、近年、テキスト表示に適するとされる電子ペーパー等の例えば、テキスト用表示装置が普及しつつあり、テキスト等の表示には、このテキスト用表示装置を用いることが検討されている。
【０００６】
また、これらの電子ペーパー等のテキスト表示用表示装置は、上記映像表示用表示装置（例えば、ＬＣＤ）に比べ、一般に、消費電力が少ないことが知られている。
【０００７】
このため、例えば、コンテンツに動画や静止画といった映像が含まれる場合は、上記映像表示用表示装置（ＬＣＤ）に表示し、コンテンツにテキストが多い場合は、上記テキスト用表示装置に表示するというように、コンテンツに応じて、複数の中から適切な表示装置に表示し、電子機器の消費電力を低減することが課題になっていた。
【先行技術文献】
【特許文献】
【０００８】
【特許文献１】米国特許第２０１１／００８０４１７号公報
【発明の概要】
【発明が解決しようとする課題】
【０００９】
コンテンツに応じて、複数の中から適切な表示装置に表示し、電子機器の消費電力を低減することが課題になっていた。
【課題を解決するための手段】
【００１０】
実施形態の電子機器は、映像の表示に用いられる第１ディスプレイを備える。
【００１１】
また、表示に用いられ、前記第１ディスプレイに比べて消費電力が少ない第２ディスプレイを備える。
【００１２】
また、指示されたアプリケーションを起動するアプリケーション起動部を備える。
【００１３】
また、前記起動されたアプリケーションに含まれる、表示を行うディスプレイを指定するディスプレイ指定情報を取得し、このディスプレイ指定情報に基づいて、前記起動されたアプリケーションを前記第１ディスプレイまたは前記第２ディスプレイのいずれかに出力する出力部を備える。
【図面の簡単な説明】
【００１４】
【図１】実施形態に係わる電子機器の外観を示す図。
【図２】実施形態に係わる電子機器において、表示アプリケーション（コンテンツ）にテキストが含まれる場合の表示例を示す図。
【図３】実施形態に係わる電子機器において、表示アプリケーション（コンテンツ）に映像が含まれる場合の表示例を示す図。
【図４】実施形態に係わる電子機器の構成を示すブロック図。
【図５】実施形態に係わる電子機器における表示部の構成例を示す図。
【図６】実施形態に係わる電子機器において、記憶部に表示アプリケーション（コンテンツ）が記憶されているようすの一例を示す図。
【図７】他の実施形態に係わる電子機器において、複数の表示部を並べて配置し、表示アプリケーション（コンテンツ）に応じ、複数の表示部の中から表示を行うようすを示す図。
【図８】他の実施形態に係わる電子機器において、複数の表示部を並べて配置し、複数の表示アプリケーション（コンテンツ）の表示を行うようすを示す図。
【図９】実施形態に係わる電子機器の動作を説明するフローチャート。
【図１０】実施形態に係わる電子機器において、アプリケーションの切り換え動作を説明するフローチャート。
【発明を実施するための形態】
【００１５】
以下、図面を参照し、実施の形態を説明する。
【００１６】
この実施形態の電子機器は、映像の表示に用いられる第１ディスプレイおよび、上記第１ディスプレイに比べて消費電力が少ない第２ディスプレイを備えている。
【００１７】
また、指示されたアプリケーションを起動するアプリケーション起動部と、起動されたアプリケーションに含まれる、このアプリケーションの表示を行うディスプレイを指定するディスプレイ指定情報を取得し、このディスプレイ指定情報に基づいて、上記起動されたアプリケーションを上記第１ディスプレイまたは上記第２ディスプレイのいずれかに出力する出力部を備えている。
【００１８】
図１は、実施形態に係わる電子機器の外観を示す図である。
【００１９】
図１に示すように、電子機器１０は、表示部１７を備えている。ここでは、表示部１７は、後述する図５に示すように、映像の表示に用いられる第１ディスプレイおよび、第１ディスプレイに比べて消費電力が少ない第２ディスプレイを備えている。
【００２０】
また、この実施形態では、電子機器１０は、カメラ２０を備えている。
【００２１】
電子機器１０は、ここでは、例えば、パーソナルコンピュータ（ＰＣ）やタブレット、携帯電話等の携帯機器である。また、テレビ等に適用することも可能である。
【００２２】
図２は、実施形態に係わる電子機器において、表示アプリケーション（コンテンツ）にテキストが含まれる場合の表示例を示す図である。
【００２３】
ここでは、例えば、「再生番組メニュー」を表示するアプリケーション（「再生番組メニュー」表示アプリ、コンテンツ）が起動され、表示部１７に表示されている。
【００２４】
上記のように、この「再生番組メニュー」表示アプリは、第１ディスプレイに比べて消費電力が少ない第２ディスプレイに表示される。
【００２５】
ここで、この実施形態に係る、第１ディスプレイに比べて消費電力が少ない第２ディスプレイの説明をする。
【００２６】
第２ディスプレイには、ここでは、例えば、電子ペーパーが用いられる。
【００２７】
ここで、電子ペーパーの説明をする。電子ペーパーは、表示中に消費電力が少ないという特徴を持っている。また、書き換え時の消費電力も主に動画表示に用いられる表示装置に比べ、少ないという特徴を持っている。
【００２８】
また、電子ペーパーは、紙と同じように反射光を利用して表示を行う。このため、視野角が広く、例えば、直射日光に当たっても表示部の表示が見やすく、視認性が高い。また、ユーザの目に対する負担が少ないという特徴がある。
【００２９】
そして、紙のように薄く作ることができ、フレキシブルであることも特徴である。
【００３０】
現在、電子ペーパーは、複数の方式が公開されており、例えば、マイクロカプセル方式、電子粉流体方式、液晶方式、エレクトロウェッティング方式、電気泳動方式、化学変化方式等がある。
【００３１】
例えば、電気泳動方式は、白色と黒色の粒子を、流体を収めたマイクロカプセル中で電界によって移動させることで白と黒の表示を行なうものである。これは、粒子移動型等とも呼ばれる。
【００３２】
そして、ここでは、この電子ペーパーで構成される第２ディスプレイに、上記起動された「再生番組メニュー」表示アプリ（コンテンツ）の表示が表示される。
【００３３】
図２に示すように、ここでは、表示部（第２ディスプレイ）１７には、「再生番組メニュー」が表示されている。
【００３４】
例えば、番組名「１．○○××」２１、番組名「２．○□□×」２２、番組名「３．△○△×」２３、番組名「４．○○○○」２４等が、主にテキストで、リスト表示される。
【００３５】
そして、例えば、表示部（第２ディスプレイ）１７にタッチし、「フリック」操作を行なうことにより、図２に示すように、「再生番組メニュー」のスクロール表示を行うことができる。
【００３６】
なお、「フリック」操作とは、ここでは、タッチパネルを使った操作で、画面に触れたペンや指を少しスライドさせる操作のことである。例えば、画面上を素早く払うようにタッチする操作もこの「フリック」操作である。
【００３７】
ユーザは、例えば、ここで表示されている「再生番組メニュー」の中から、所望の番組コンテンツをしている。ここでは、例えば、上記番組名「２．○□□×」２２が指定される。
【００３８】
図３は、実施形態に係わる電子機器において、表示アプリケーション（コンテンツ）に映像が含まれる場合の表示例を示す図である。
【００３９】
ここでは、例えば、「再生番組メニュー」を表示するアプリケーション（「番組（動画）再生」アプリ、コンテンツ）が起動され、表示部（第１ディスプレイ）１７に表示されている。
【００４０】
そして、ここでは、上記のように、例えば、「再生番組メニュー」から上記番組名「２．○□□×」２２が指定され、表示部（第２ディスプレイ）１７ではなく、表示部（第１ディスプレイ）１７に、この番組（番組名「２．○□□×」２２）が再生表示されている。
【００４１】
表示部（第１ディスプレイおよび第２ディスプレイ）１７については、図５を用い、後述する。
【００４２】
ここでは、表示部（第１ディスプレイ）１７に、番組（番組名「２．○□□×」２２）に係るテキスト表示「「２．○□□×」再生」３１と、動画等の映像３１が表示されている。
【００４３】
なお、ここで再生される番組は、予め、電子機器１０等で録画され、例えば、記憶装置１０９（後述）に記憶されている。
【００４４】
図４は、実施形態に係わる電子機器１０の構成を示すブロック図である。
【００４５】
この電子機器１０は、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ＨＤＤ／ＳＳＤ（記憶装置）１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備えている。
【００４６】
ＣＰＵ１０１は、電子機器１０内の各部の動作を制御するプロセッサである。
【００４７】
ＣＰＵ１０１は、ＢＩＯＳ−ＲＯＭ１０７に格納されたＢＩＯＳを実行する。ＢＩＯＳは、ハードウェア制御のためのプログラムである。
【００４８】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ  ＥＸＰＲＥＳＳ規格のシリアルバスなどを介してＧＰＵ１０５との通信を実行する機能も備えている。
【００４９】
ＧＰＵ１０５は、電子機器１０のディスプレイモニタとして使用される表示部（第１ディスプレイおよび第２ディスプレイ）１７を制御する表示コントローラである。
【００５０】
このＧＰＵ１０５によって生成される表示信号は表示部（第１ディスプレイおよび第２ディスプレイ）１７に送られる。また、ＧＰＵ１０５は、ＨＤＭＩ制御回路３およびＨＤＭＩ端子２を介して、外部ディスプレイ１にデジタル映像信号を送出することもできる。
【００５１】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００５２】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Ｌｏｗ Ｐｉｎ Ｃｏｕｎｔ）バス上の各デバイスを制御する。また、サウスブリッジ１０４は、ＨＤＤ／ＳＳＤ（記憶装置）１０９及びＯＤＤ１１０を制御するためのＩＤＥ（Ｉｎｔｅｇｒａｔｅｄ Ｄｒｉｖｅ Ｅｌｅｃｔｒｏｎｉｃｓ）コントローラを内蔵している。
【００５３】
さらに、サウスブリッジ１０４は、サウンドコントローラ１０６との通信を実行する機能も備えている。
【００５４】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ ８０２．１１ｇ規格の無線通信を実行する無線通信デバイスである。ＵＳＢコントローラ１１１Ａは、（ＵＳＢコネクタ１９を介して接続される）例えばＵＳＢ ２．０規格に対応した外部機器との通信を実行する。
【００５５】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００５６】
ＥＣ／ＫＢＣ１１３は、電力管理のためのエンベデッドコントローラと、キーボード１３及びタッチセンサー１６を制御するためのキーボードコントローラとが集積された１チップマイクロコンピュータである。ＥＣ／ＫＢＣ１１３は、ユーザによるパワーボタン１４の操作に応じて電子機器１０を電源オン／電源オフする機能を備えている。
【００５７】
この実施の形態における表示制御は、例えばＣＰＵ１０１が主メモリ１０３やＨＤＤ／ＳＳＤ（記憶装置）１０９等に記録されたプログラムを実行させることにより行われる。
【００５８】
例えば、ここでは、上記「再生番組メニュー」表示アプリや上記「番組（動画）再生」アプリは、このＨＤＤ／ＳＳＤ（記憶装置）１０９に記憶される。
【００５９】
図５は、実施形態に係わる電子機器における表示部の構成例を示す図である。
【００６０】
図５に示すように、電子機器１０の映像表示部１７は、タッチ操作検出部１６、第２ディスプレイ（電子ペーパー）５２、第１ディスプレイ（映像ディスプレイ（液晶／有機ＥＬ））５１を備えている。
【００６１】
この実施形態においては、第１ディスプレイ５１は、例えば、液晶ディスプレイや、有機ＥＬ（有機エレクトロルミネッセンス）ディスプレイ等のように、映像表示に適した表示装置が用いられる。
【００６２】
ここでは、タッチ操作検出部１６は光を透過するように構成されており、第２ディスプレイ（電子ペーパー）５２や第１ディスプレイ（映像ディスプレイ（液晶／有機EL））５１に表示された表示がタッチ操作検出部１６を通してユーザに表示出力される。
【００６３】
また、第２ディスプレイ５２は、例えば、上記のようにテキストの表示に適した、電子ペーパーが用いられる。上記のように、電子ペーパーは、第１ディスプレイ５１に比べて消費電力が少ない。
【００６４】
この実施形態においては、図５に示すように、第２ディスプレイ５２と第１ディスプレイ５１は、積層されている。
【００６５】
図６は、実施形態に係わる電子機器において、記憶部に表示アプリケーション（コンテンツ）が記憶されているようすの一例を示す図である。
【００６６】
上記のように、電子機器１０の表示部（第１ディスプレイおよび第２ディスプレイ）１７に表示を行う表示アプリ（コンテンツ）は、例えば、予め、ＨＤＤ／ＳＳＤ（記憶装置）１０９に記憶されている。
【００６７】
そして、ＣＰＵ１０１に制御され、電子機器１０上で起動され、表示される。
【００６８】
この実施形態においては、上記のように、「番組（動画）再生」アプリ６２や「再生番組メニュー」表示アプリ６３、あるいは、他のアプリ６４はＨＤＤ／ＳＳＤ（記憶装置）１０９に記憶されている。
【００６９】
そして、この実施形態においては、電子機器１０上で起動され、表示される、上記「番組（動画）再生」アプリ６２は、この「番組（動画）再生」アプリ６２の表示（「番組（動画）再生」アプリ６２に係る表示）を行なう表示部を指定するディスプレイ指定部６２ａを備えている。このディスプレイ指定部６２ａは、例えば、ソフトウェアで構成され、例えば、所定の信号やデータで構成される。
【００７０】
すなわち、ここでは、「番組（動画）再生」アプリ６２は、ディスプレイ指定部６２ａによって、第１ディスプレイ（映像デバイス）５１への表示を指定する。
【００７１】
また、同様に、「再生番組メニュー」表示アプリ６３は、この「再生番組メニュー」表示アプリ６３の表示を行なう表示部を指定するディスプレイ指定部６３ａを備えている。このディスプレイ指定部６３ａも、例えば、ソフトウェアで構成され、例えば、所定の信号やデータで構成される。
【００７２】
そして、「再生番組メニュー」表示アプリ６３は、ディスプレイ指定部６３ａによって、第２ディスプレイ（映像デバイス）５２への表示を指定する。
【００７３】
また、同様に、他のアプリ６４は、この他のアプリ６４の表示を行なう表示部を指定するディスプレイ指定部６４ａを備えている。このディスプレイ指定部６４ａも、例えば、ソフトウェアで構成され、例えば、所定の信号やデータで構成される。
【００７４】
そして、他のアプリ６４は、ディスプレイ指定部６４ａによって、第２ディスプレイ（映像デバイス）５２への表示を指定する。
【００７５】
なお、上記アプリの一例として、例えば、ウェブブラウザ（インターネットブラウザ、ＷＷＷブラウザ）を用いることが可能である。
【００７６】
ウェブブラウザとは、Ｗｏｒｌｄ Ｗｉｄｅ Ｗｅｂの利用に供するブラウザであって、ユーザーエージェントである。ウェブブラウザは、単にブラウザ（ｂｒｏｗｓｅｒ）と呼ばれることもある。
【００７７】
また、ユーザーエージェント(Ｕｓｅｒ ａｇｅｎｔ）とは、ユーザが所定のプロトコルに基づいてデータを利用する際に用いるソフトウェアまたはハードウェアである。ユーザーエージェントは、「利用者エージェント」とも呼ばれる。
【００７８】
例えば、上記ＨＴＴＰを用いてＷｏｒｌｄ Ｗｉｄｅ Ｗｅｂにアクセスするための「ウェブブラウザ」が代表的なユーザーエージェントの1つであるが、「ユーザーエージェント」という名称はそれに限られる訳ではなく、例えば、人間が電子メールを送受信する際に用いるユーザーエージェントは、メールユーザーエージェントである。
【００７９】
上記のように、この実施形態においては、電子機器１０上で表示されるアプリは、そのアプリの表示を行なう表示部を指定するディスプレイ指定部を備えている。
【００８０】
図７は、他の実施形態に係わる電子機器において、複数の表示部を並べて配置し、表示アプリケーション（コンテンツ）に応じ、複数の表示部の中から表示を行うようすを示す図である。
【００８１】
ここでは、図７（ａ）、図７（ｂ）に示すように、電子機器１０は、複数の表示部を備え、これらを並べて配置している。
【００８２】
すなわち、電子機器１０は、例えば、映像ディスプレイ（液晶／有機ＥＬ）で構成される第１ディスプレイ５１および、電子ペーパーで構成される第２ディスプレイ５２を備え、これらを並べて配置している。
【００８３】
図７（ａ）は、表示アプリケーション（コンテンツ）は「再生番組メニュー」表示アプリである。この「再生番組メニュー」表示アプリ６３は、例えば、上記のように、第２ディスプレイ（電子ペーパー）５２への表示が指定されている。
【００８４】
そして、この指定に応じ、「再生番組メニュー」表示アプリ６３は、第２ディスプレイ（電子ペーパー）５２へ表示される。
【００８５】
図７（ｂ）は、表示アプリケーション（コンテンツ）は「番組（動画）再生」アプリである。この「番組（動画）再生」アプリ６２は、例えば、上記のように、第１ディスプレイ（映像ディスプレイ（液晶／有機EL））５１への表示が指定されている。
【００８６】
そして、この指定に応じ、「番組（動画）再生」アプリ６２は、第１ディスプレイ（映像ディスプレイ（液晶／有機EL））５１へ表示される。
【００８７】
このように、この実施形態においては、表示アプリケーション（コンテンツ）に応じ、指定されたディスプレイ（ここでは、上記第１ディスプレイ５１または上記第２ディスプレイ電子ペーパー５２）に表示される。
【００８８】
図８は、他の実施形態に係わる電子機器において、複数の表示部を並べて配置し、複数の表示アプリケーション（コンテンツ）の表示を行うようすを示す図である。
【００８９】
ここでは、「再生番組メニュー」表示アプリ６３と「番組（動画）再生」アプリ６２の２つのアプリが同時に表示されている。
【００９０】
そして、「再生番組メニュー」表示アプリ６３は、第２ディスプレイ（電子ペーパー）５２へ表示されている。
【００９１】
また、「番組（動画）再生」アプリ６２は、第１ディスプレイ（映像ディスプレイ（液晶／有機ＥＬ））５１へ表示されている。
【００９２】
この実施形態においては、異なる種類のディスプレイを備えているので、例えば、異なるアプリを異なる種類のディスプレイに同時に表示することが可能である。
【００９３】
図９は、実施形態に係わる電子機器の動作を説明するフローチャートである。
【００９４】
ステップＳ１００は、ここでの開始ステップである。続いて、ステップＳ１０１に進む。
【００９５】
ステップＳ１０１は、例えば、電子機器１０を操作したユーザから、「再生番組メニュー」の表示指示を受けるステップである。続いて、ステップＳ１０２に進む。
【００９６】
ステップＳ１０２は、例えば、記憶装置１０９に記憶されている「再生番組メニュー」表示アプリ（例えば、上記ブラウザ）６３を起動するステップである。続いて、ステップＳ１０３に進む。
【００９７】
ステップＳ１０３は、例えば、電子機器１０のＣＰＵ１０１が、「再生番組メニュー」表示アプリ（ブラウザ）６３に含まれる表示ディスプレイ指定情報を取得するステップである。ここでは、第２ディスプレイ（電子ペーパー）５２が指定されている。続いて、ステップＳ１０４に進む。
【００９８】
ステップＳ１０４は、上記指定された第２ディスプレイ（電子ペーパー）５２に、「再生番組メニュー」（図２）を表示するステップである。続いて、ステップＳ１０５に進む。
【００９９】
ステップＳ１０５は、ユーザが表示部１７に表示されている番組再生メニューから再生したい番組を選択するステップである。ここでは、番組「２．○□□×」２２（図２）が選択される。続いて、ステップＳ１０６に進む。
【０１００】
ステップＳ１０６は、例えば、ＣＰＵ１０１が、上記番組再生が指示されたかを検出するステップである。番組再生が指示されたと検出される場合は、ステップＳ１０７に進む（Ｙｅｓ）。番組再生が指示されたと検出されない場合は、ここでの処理を繰り返す（Ｎｏ）。
【０１０１】
ステップＳ１０７は、「番組（動画）再生」アプリ（ブラウザ）６２を起動するステップである。続いて、ステップＳ１０８に進む。
【０１０２】
ステップＳ１０８は、「番組（動画）再生」アプリ（ブラウザ）６２に含まれる表示ディスプレイ指定情報を取得するステップである。ここでは、第１ディスプレイ（映像ディスプレイ）５１が指定されている。続いて、ステップＳ１０９に進む。
【０１０３】
ステップＳ１０９は、上記選択指示された番組（動画、図３）を、上記指定された第１ディスプレイ（映像ディスプレイ）５１に表示するステップである。続いて、ステップＳ１１０に進む。
【０１０４】
ステップＳ１１０は、終了ステップであり、ここでの処理は終了する。
【０１０５】
このように、この実施形態においては、電子機器１０上で起動され、表示されるアプリは、このアプリの表示を行なう表示部を指定するディスプレイ指定部を備えている。
【０１０６】
図１０は、実施形態に係わる電子機器において、アプリケーションの切り換え動作を説明するフローチャートである。
【０１０７】
ステップＳ２００は、ここでの開始ステップである。続いて、ステップＳ２０１に進む。
【０１０８】
ステップＳ２０１は、例えば、所定のアプリを上記指定された第１ディスプレイ５１に表示するステップである。続いて、ステップＳ２０２に進む。
【０１０９】
ステップＳ２０２は、電子機器１０が上記アプリの切り替え指示を受信したかを検出するステップである。上記アプリの切り替え指示を受信したと検出される場合は、ステップＳ２０３に進む（Ｙｅｓ）。上記アプリの切り替え指示を受信しないと検出される場合は、ここでの処理を繰り返す（Ｎｏ）。
【０１１０】
ステップＳ２０３は、アプリを切り替え、起動するステップである。続いて、ステップＳ２０４に進む。
【０１１１】
ステップＳ２０４は、上記ディスプレイ指定情報を取得したかを検出するステップである。ディスプレイ指定情報を取得したと検出される場合は、ステップＳ２０５に進む（Ｙｅｓ）。ディスプレイ指定情報を取得しないと検出される場合は、ステップＳ２０８に進む（Ｎｏ）。
【０１１２】
ステップＳ２０５は、上記取得されたディスプレイ指定情報は第２ディスプレイを指定しているかを検出するステップである。上記取得されたディスプレイ指定情報は第２ディスプレイを指定していると検出される場合は、ステップＳ２０６に進む（Ｙｅｓ）。上記取得されたディスプレイ指定情報は第２ディスプレイを指定していないと検出される場合は、ステップＳ２０８に進む（Ｎｏ）。
【０１１３】
ステップＳ２０６は、第２ディスプレイ５２に表示を行うステップである。このとき、「スクロール」は描画サポートがない。続いて、ステップＳ２０７に進む。
【０１１４】
ステップＳ２０７は、例えば、上記「スクロール」描画に代え、画面全体を再描画する方法（例えば、「Ｐａｇｅ Ｕｐ」、「Ｐａｇｅ Ｄｏｗｎ」等）でアプリを表示するステップである。続いて、ステップＳ２０９に進む。
【０１１５】
ステップＳ２０８は、第１ディスプレイ５１に表示を行うステップである。このとき、「スクロール」は描画サポートがある。続いて、ステップＳ２０９に進む。
【０１１６】
ステップＳ２０９は、終了ステップであり、ここでの処理は終了する。
【０１１７】
このように構成することにより、この実施形態は、電子機器１０の消費電力を低減することが可能になる。
【０１１８】
上記のように、この実施形態にかかる電子機器は、映像の表示に用いられる第１ディスプレイと、表示に用いられ、上記第１ディスプレイに比べて消費電力が少ない第２ディスプレイを備えている。
【０１１９】
また、指示されたアプリケーションを起動するアプリケーション起動部と、上記起動されたアプリケーションに含まれる、このアプリケーションの表示を行うディスプレイを指定するディスプレイ指定情報を取得し、このディスプレイ指定情報に基づいて、上記起動されたアプリケーションを上記第１ディスプレイまたは上記第２ディスプレイのいずれかに出力する出力部を備えている。
【０１２０】
また、上記第２ディスプレイは、例えば、電子ペーパーが用いられ、反射光を利用して表示を行うことが可能である。
【０１２１】
また、上記第１ディスプレイと上記第２ディスプレイは、上記のように、積層しても良い。
【０１２２】
また、上記第１ディスプレイと上記第２ディスプレイは、上記のように、並べて配置しても良い。
【０１２３】
また、上記第２ディスプレイに表示を行う場合は、スクロール機能に代え、画面を再描画する方法で表示を行うことが可能である。
【０１２４】
また、アプリケーションの切り替えが行なわれた場合は、切り替えられたアプリケーションに含まれるディスプレイ指定情報に基づいて、切り替えられたアプリケーションを第１ディスプレイまたは第２ディスプレイのいずれかに出力するように構成している。
【０１２５】
上記のように構成することにより、この実施形態に係る電子機器１０は、コンテンツに応じて、複数の中から適切な表示装置に表示し、電子機器の消費電力を低減することが可能になる。
【０１２６】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１２７】
なお、上記実施形態は、記述そのものに限定されるものではなく、実施段階では、その趣旨を逸脱しない範囲で、構成要素を種々変形して具体化することが可能である。
【０１２８】
また、上記実施形態に開示されている複数の構成要素の適宜な組み合せにより種々の発明を形成できる。
【０１２９】
例えば、実施形態に示される全構成要素から幾つかの構成要素を削除してもよい。更に、異なる実施形態に亘る構成要素を適宜組み合せてもよい。
【符号の説明】
【０１３０】
３９…アンテナ、４０…映像表示装置、４１…制御部、４２…カメラ、４３…受信機（チューナ）、４４…デコーダ、４５…標準画質処理、４６…高画質処理、４７…フレーム補完処理、４８…マルチプレクサ、４９…画面(表示装置)、５０…バックライト。
【要約】
【課題】
コンテンツに応じて、複数の中から適切な表示装置に表示し、電子機器の消費電力を低減することが課題になっていた。
【解決手段】
実施形態の電子機器は、映像の表示に用いられる第１ディスプレイを備える。
また、表示に用いられ、前記第１ディスプレイに比べて消費電力が少ない第２ディスプレイを備える。
また、指示されたアプリケーションを起動するアプリケーション起動部を備える。
また、前記起動されたアプリケーションに含まれる、表示を行うディスプレイを指定するディスプレイ指定情報を取得し、このディスプレイ指定情報に基づいて、前記起動されたアプリケーションを前記第１ディスプレイまたは前記第２ディスプレイのいずれかに出力する出力部を備える。
【選択図】  図６【図１】
0005197834.tif 000002
【図２】
0005197834.tif 000003
【図３】
0005197834.tif 000004
【図４】
0005197834.tif 000005
【図５】
0005197834.tif 000006
【図６】
0005197834.tif 000007
【図７】
0005197834.tif 000008
【図８】
0005197834.tif 000009
【図９】
0005197834.tif 000010
【図１０】
0005197834.tif 000011